(57)【要約】【課題】円筒溝カム機構を採用することにより、開閉部材の前面に駆動機構を突出させないように配置する。【解決手段】遊技機用の部材駆動装置では、モータを回転させると、ピニオン４ａおよびラック３ｂを介して直線移動部材３が左右方向に直線移動する。直線移動部材３が直線移動すると、直線移動部材３に植設されたカムピン３ａ，３ａが左右方向に直線移動され、カムピン３ａ，３ａが遊嵌する螺旋状のカム溝１ａ，１ａの位置が直線移動し、開閉部材１は軸受部材２，２に支持された軸を中心に回転する。これにより、開閉部材１が開閉動作する。【選択図】図２
2007244573.tif 000002
【特許請求の範囲】
【請求項１】
回転軸部に螺旋状のカム溝が刻設された開閉部材と、
前記カム溝に遊嵌するカムピンが植設された直線移動部材と、
前記直線移動部材を直線移動させる駆動手段とを備え、
前記直線移動部材の直線移動に連動して前記カムピンが前記カム溝内を移動することによって前記回転軸部が回転して前記開閉部材が開閉することを特徴とする遊技機用の部材駆動装置。
【請求項２】
前記駆動手段の出力軸に取り付けられたピニオンと前記直線移動部材に刻設されたラックとを噛合させることで、前記駆動手段により前記直線移動部材を直線移動させる請求項１に記載の遊技機用の部材駆動装置。
【請求項３】
前記直線移動部材を前記開閉部材よりも後方に備えることで、前記開閉部材が１８０度以上開くことができる請求項１または２に記載の遊技機用の部材駆動装置。
【請求項４】
少なくとも左右に観音開きする一対の開閉部材と、上下に開閉する一対の開閉部材とを重ねた状態で備え、各開閉部材は表裏両面に表示部が形成され、各開閉部材が閉じた状熊と開いた状態とで有効となる表示部を切り替えることができる請求項１ないし３のいずれか１項に記載の遊技機用の部材駆動装置。
【請求項５】
遊技者に提供する遊技に関する演出を実行する演出手段と、
その演出手段の前面に設けられ、回転軸部に螺旋状のカム溝が刻設された開閉部材と、
前記カム溝に遊嵌するカムピンが植設された直線移動部材と、
前記直線移動部材を直線移動させる駆動手段と、
前記駆動手段の動作を制御する制御手段とを備え、
前記制御手段は、遊技の進行に応じて前記駆動手段を動作させることで前記直線移動部材を直線移動させ、その直線移動に連動して前記カムピンが前記カム溝内を移動することによって前記回転軸部が回転して前記開閉部材を前記演出手段の前面で開閉動作させることを特徴とする遊技機。
【発明の詳細な説明】
【技術分野】
【０００１】
本発明は遊技機用の部材駆動装置および遊技機に関し、特にパチンコ遊技機，スロットマシン等の遊技機用の部材駆動装置および遊技機に関する。
【背景技術】
【０００２】
従来の遊技機用の部材駆動装置として、表示部の前面で扉状の開閉部材を開閉する様々な開閉装置がすでに公知である（例えば、特許文献１参照）。
【０００３】
しかし、従来の遊技機用の部材駆動装置では、図４（ｂ）に示すように、モータ４で開閉部材１を駆動する場合、開閉部材１の回転軸部に対してモータ４の出力軸を平行に配置しなければならないか、またはギア機構を用いて開閉部材１の回転軸部に対してモータ４の出力軸を垂直に配置した場合でも、回転軸部に平行に取り付けたギアなどは必ず閉じた開閉部材１よりも前面に突出してしまっていた。
【０００４】
また、開閉部材１の回転軸部に対してモータ４の出力軸を平行に配置した場合、モータ４を含む駆動機構の面積が必ず大きくなってしまい、デッドスペースを作ってしまっていた。
【０００５】
【特許文献１】特開２００５−４０４１３号公報
【発明の開示】
【発明が解決しようとする課題】
【０００６】
従来の遊技機用の部材駆動装置は、開閉部材の回転軸部をモータで回転させているためにモータの一部が開閉部材の前面よりも突出してしまい、また開閉部材の回転軸部に駆動を伝えるための軸が開閉部材の下に位置し、この軸を遊技者から隠そうとすると、開閉部材よりも前方に隠し部材が必要になってしまうという問題点があった。
【０００７】
本発明の目的は、上述の点に鑑み、円筒溝カム機構を採用することにより、開閉部材の前面に駆動機構を突出させないように配置できるようにした遊技機用の部材駆動装置を提供することにある。
【０００８】
また、本発明の他の目的は、円筒溝カム機構を採用することにより、開閉部材の前面に駆動機構を突出させないように配置でき、開閉部材で観音開きおよび横開きを可能にするようにした遊技機用の部材駆動装置を提供することにある。
【０００９】
さらに、本発明の別の目的は、円筒溝カム機構を採用することにより、開閉部材の前面に駆動機構を突出させないように配置でき、かつ開閉部材の開閉角度として１８０度以上を実現できるようにした遊技機用の部材駆動装置を提供することにある。
【課題を解決するための手段及び発明の効果】
【００１０】
請求項１に記載の遊技機用の部材駆動装置は、回転軸部に螺旋状のカム溝が刻設された開閉部材と、前記カム溝に遊嵌するカムピンが植設された直線移動部材と、前記直線移動部材を直線移動させる駆動手段とを備え、前記直線移動部材の直線移動に連動して前記カムピンが前記カム溝内を移動することによって前記回転軸部が回転して前記開閉部材が開閉することを特徴とする。請求項１に記載の遊技機用の部材駆動装置によれば、回転軸部に刻設されたカム溝に背面方向などから垂直にカムピンを植設する直線移動部材に刻設されたラックを噛合し、直線移動を回転運動に変換し、開閉部材を駆動させる。直線移動部材を直線移動させるために、モータおよび伝達機構が開閉部材より前面に突出しない、駆動装置を設置する面積が小さくすむ、開閉部材に駆動回路などを設置せずにすむため活用領域を最大限に利用できる等の効果が得られる。また、円筒溝カム機構により４方向への開閉部材の開放が実現でき、複数の組み合わせの開閉部材を設置することが容易となるので、観音開きおよび横開きのための開閉部材の駆動機構を容易に制御できる。
【００１１】
請求項２に記載の遊技機用の部材駆動装置は、請求項１に記載の遊技機用の部材駆動装置において、前記駆動手段の出力軸に取り付けられたピニオンと前記直線移動部材に刻設されたラックとを噛合させることで、前記駆動手段により前記直線移動部材を直線移動させることを特徴とする。請求項２に記載の遊技機用の部材駆動装置によれば、開閉部材の回転軸部の上下に軸をはみ出させること無く、開閉部材を開閉することが可能になる。また、モータを背後に隠すことが可能になるので、遊技者にはこれまでに無い興趣を与えることができる。
【００１２】
請求項３に記載の遊技機用の部材駆動装置は、請求項１または２に記載の遊技機用の部材駆動装置において、前記直線移動部材を前記開閉部材よりも後方に備えることで、前記開閉部材が１８０度以上開くことができることを特徴とする。請求項３に記載の遊技機用の部材駆動装置によれば、駆動機構などを遊技者から見えないように隠すことができ、開閉部材を前方に突出させても遊技者側から回転駆動機構を隠すことができる。また、複数の開閉部材を回転軸部が直行する方向で重ねて構成しても、各開閉部材を閉じた状態から１８０度以上開くことが可能になる。
【００１３】
請求項４に記載の遊技機用の部材駆動装置は、請求項１ないし３のいずれか１項に記載の遊技機用の部材駆動装置において、少なくとも左右に観音開きする一対の開閉部材と、上下に開閉する一対の開閉部材とを重ねた状態で備え、各開閉部材は表裏両面に表示部が形成され、各開閉部材が閉じた状熊と開いた状態とで有効となる表示部を切り替えることができることを特徴とする。請求項４に記載の遊技機用の部材駆動装置によれば、各開閉部材の表裏両面に表示部としての機能を備え、開閉部材が閉じているときに隠れている部分も表示部にすることで、開閉部材が開いた状態になると表示範囲が広がるように構成することが可能となり、従来にない様々な演出が可能になる。さらに、開閉面(演出エリア)を最大限活用できるので、開閉部材内にＬＥＤ（Light Emitting Diode），ＥＬ（Electroluminescence），透過型ＬＣＤ（Liquid Crystal Display）などの表示装置を埋め込み多彩な演出装置として活用できる等の効果が得られる。
【００１４】
請求項５に記載の遊技機は、遊技者に提供する遊技に関する演出を実行する演出手段と、その演出手段の前面に設けられ、回転軸部に螺旋状のカム溝が刻設された開閉部材と、前記カム溝に遊嵌するカムピンが植設された直線移動部材と、前記直線移動部材を直線移動させる駆動手段と、前記駆動手段の動作を制御する制御手段とを備え、前記制御手段は、遊技の進行に応じて前記駆動手段を動作させることで前記直線移動部材を直線移動させ、その直線移動に連動して前記カムピンが前記カム溝内を移動することによって前記回転軸部が回転して前記開閉部材を前記演出手段の前面で開閉動作させることを特徴とする。請求項５に記載の遊技機によれば、遊技の進行に応じて直線移動部材の直線移動に連動してカムピンがカム溝内を移動し、回転軸部が回転して開閉部材が演出手段の前面で開閉動作することになる。このため、開閉部材によって遊技者から演出手段が見え隠れするようになり、遊技者にこれまでに無い興趣を与えることができる。
【発明を実施するための最良の形態】
【００１５】
開閉部材の前面に駆動機構を突出させないように配置できるようにするという目的を、直線移動部材の直線移動に連動してカムピンが螺旋状のカム溝内を移動することで回転軸部が回転して開閉部材が開閉するようにしたことにより達成した。
【００１６】
以下、本発明の実施の形態について、図面を参照して説明する。
【実施例１】
【００１７】
図１は、本発明の実施例１に係る遊技機用の部材駆動装置を示す斜視図である。図２および図３は、実施例１に係る遊技機用の部材駆動装置の動作を説明する要部斜視図である。図４（ａ）は、実施例１に係る遊技機用の部材駆動装置におけるモータ４の配置位置を、図４（ｂ）に示す従来のモータ４の配置位置と対比して説明する斜視図である。
【００１８】
本実施例１に係る遊技機用の部材駆動装置は、矩形板体の一端縁部が円柱状に膨出されて回転軸部となっている開閉部材１と、開閉部材１の回転軸部を回動自在に軸支する軸受部材２，２と、開閉部材１の回転軸部に穿設された螺旋状の一対のカム溝１ａ，１ａに遊嵌される一対のカムピン３ａ，３ａが植設された直線移動部材３と、直線移動部材３の一端縁部に刻設されたラック３ｂに噛合するピニオン４ａが出力軸に取り付けられたモータ４（図４（ａ）参照）とから、その主要部が構成されている。なお、符号５はモータ４を取り付ける取付ベース、６はピニオン４ａの回転角を計測するセンサ、７はモータ４の駆動回路を含む基板である。
【００１９】
このように構成された実施例１に係る遊技機用の部材駆動装置では、モータ４を回転させると、ピニオン４ａおよびラック３ｂを介して直線移動部材３が左右方向に直線移動する。直線移動部材３が直線移動すると、図３に示すように、直線移動部材３に植設されたカムピン３ａ，３ａが左右方向に直線移動され、カムピン３ａ，３ａが遊嵌する螺旋状のカム溝１ａ，１ａの位置が直線移動し、開閉部材１は軸受部材２，２に支持された軸を中心に回転する。これにより、開閉部材１が水平状態から起立状態まで起立する。
【００２０】
実施例１によれば、螺旋状のカム溝１ａ，１ａが穿設された回転軸部の軸方向にラック３ｂが刻設された直線移動部材３を直線移動させ、カム溝１ａ，１ａが穿設された回転軸部を有する開閉部材１の回転運動に変換するようにしたので、図４（ａ）に示すように、開閉部材１を軸支する軸受部材２，２の両端側にモータ４を配設するためのスペースが不要になるという効果がある。ちなみに、従来の開閉部材１を直接回転運動させる遊技機の部材駆動装置では、図４（ｂ）に示すように、カム溝（図示せず）を刻設する開閉部材１の回転軸部に対してモータ４を平行に配置しなければならず、開閉部材１を軸支する軸受部材２，２のいずれか一端端側にモータ４を配設するためのスペースが必要となる。
【実施例２】
【００２１】
図５は、本発明の実施例２に係る部材駆動装置を使用する図柄表示装置２０を配設する遊技機１１を示す正面模式図である。この遊技機１１は、パチンコ遊技機であり、台枠に取り付けられた透明ガラス板でなる前面扉１２と、台枠の内側に配置されて前面扉１２によって覆われる遊技盤１３と、遊技盤１３の左右の斜め下方に配設された左右のスピーカ１４ａ，１４ｂと、遊技盤１３の下方に設けられた玉供給皿１５と、玉供給皿１５の右方（図５で見て）に設けられた、玉の発射装置を操作するハンドル１６と、遊技盤１３のほぼ中央位置に配設された表示装置枠体１９と、表示装置枠体１９内に配設された図柄表示装置２０と、図柄表示装置２０の左方（図５で見て）に設けられた通過ゲート２１と、図柄表示装置２０の下方に設けられた、いわゆるスタートと呼ばれる始動入賞装置２２と、始動入賞装置２２の下方に設けられた、いわゆるアタッカーと呼ばれる大入賞装置２３と、大入賞装置２３の下方に設けられた玉排出口２４とを含んで構成されている。なお、図５中、符号２５は、ランプ類を示す。
【００２２】
図６は、表示装置枠体１９内の図柄表示装置２０の配置態様を示す斜視図である。図柄表示装置２０は、上縁中央部が上方に突出するほぼ四角形状の表示装置枠体１９内の遊技盤面から一段と奥まった背面壁に、表示装置枠体１９から一定の距離をもって配設されている。図柄表示装置２０を遊技盤面から一段と奥まった背面壁に、かつ表示装置枠体１９から一定の距離をもって配設したのは、図柄表示装置２０を構成する各開閉部材（後述する）が開閉動作する際に、これら開閉部材が前面扉１２および表示装置枠体１９に当たらないようにするためである。
【００２３】
図７は、図柄表示装置２０の部品展開斜視図である。この図柄表示装置２０は、中央表示装置１００と、左表示装置１０１と、右表示装置１０２と、上表示装置１０３と、下表示装置１０４とから、その主要部が構成されている。
【００２４】
中央表示装置１００（演出手段に相当）は、表面に長方形の表示部を有する液晶表示装置でなる。
【００２５】
左表示装置１０１は、中央表示装置１００の左側面壁にビス等により固着されるガイド部材１１１と、ガイド部材１１１の切欠内に摺動自在に収納されて配置される直線移動部材１１２と、直線移動部材１１２をガイド部材１１１から抜け止めする抜止部材１１３と、ガイド部材１１１の上端面壁にビス等により固着される軸受部材１１４と、ガイド部材１１１の下端面壁にビス等により固着される軸受部材１１５と、軸受部材１１４，１１５に穿設された軸孔に両端の軸１１６ａ，１１６ａが嵌合されて回動自在に配置される左開閉部材１１６と、直線移動部材１１２を駆動するためのステッピングモータ（駆動手段に相当、以下、単にモータという）１１７とから構成されている。
【００２６】
直線移動部材１１２は、断面Ｌ字状の板体でなり、前端面には一対のカムピン１１２ａ，１１２ａが突設されている。また、直線移動部材１１２の左側端面には、モータ１１７の出力軸に取り付けられたピニオン１１７ａに噛合するラック１１２ｂ（図７中には図示されず）が刻設されている。
【００２７】
左開閉部材１１６は、矩形状の板体でなり、表裏両面が液晶表示装置等でなる表示部となっている。左開閉部材１１６の左端縁部は、円柱状に膨出して回転軸部となっており、その表面には螺旋状の一対のカム溝１１６ｂ，１１６ｂが刻設されている。一対のカム溝１１６ｂ，１１６ｂには、一対のカムピン１１２ａ，１１２ａがそれぞれ遊嵌される。また、左開閉部材１１６の回転軸部の上下端面からは、軸１１６ａ，１１６ａが突設されている。
【００２８】
右表示装置１０２は、中央表示装置１００の右側面壁にビス等により固着されるガイド部材１２１と、ガイド部１２１の切欠内に摺動自在に収納されて配置される直線移動部材１２２と、直線移動部材１２２をガイド部材１２１から抜け止めする抜止部材１２３と、ガイド部材１２１の上端面壁にビス等により固着される軸受部材１２４と、ガイド部材１２１の下端面壁にビス等により固着される軸受部材１２５と、軸受部材１２４，１２５に穿設された軸孔に両端の軸１２６ａ，１２６ａが嵌合されて回動自在に配置される右開閉部材１２６と、直線移動部材１２２を駆動するためのステッピングモータ（駆動手段に相当、以下、単にモータという）１２７とから構成されている。
【００２９】
直線移動部材１２２は、断面Ｌ字状の板体でなり、前端面には一対のカムピン１２２ａ，１２２ａが突設されている。また、直線移動部材１２２の右側端面には、モータ１２７の出力軸に取り付けられたピニオン１２７ａに噛合するラック１２２ｂが刻設されている。
【００３０】
右開閉部材１２６は、矩形状の板体でなり、表裏両面が液晶表示装置等でなる表示部となっている。右開閉部材１２６の右端縁部は、円柱状に膨出して回転軸部となっており、その表面には螺旋状の一対のカム溝１２６ｂ，１２６ｂが刻設されている。一対のカム溝１２６ｂ，１２６ｂには、一対のカムピン１２２ａ，１２２ａがそれぞれ遊嵌される。また、右開閉部材１２６の回転軸部の上下端面からは、軸１２６ａ，１２６ａが突設されている。
【００３１】
上表示装置１０３は、中央表示装置１００の上側面壁にビス等により固着されるガイド部材１３１と、ガイド部１３１の切欠内に摺動自在に収納されて配置される直線移動部材１３２と、直線移動部材１３２をガイド部材１３１から抜け止めする抜止部材１３３と、軸受部材１１４，１２４に穿設された軸孔に両端の軸１３６ａ，１３６ａが嵌合されて回動自在に配置される上開閉部材１３６と、直線移動部材１３２を駆動するためのステッピングモータ（駆動手段に相当、以下、単にモータという）１３７とから構成されている。
【００３２】
直線移動部材１３２は、断面Ｌ字状の板体でなり、前端面には一対のカムピン１３２ａ，１３２ａが突設されている。また、直線移動部材１３２の上側端面には、モータ１３７の出力軸に取り付けられたピニオン１３７ａに噛合するラック１３２ｂが刻設されている。
【００３３】
上開閉部材１３６は、矩形状の板体でなり、表裏両面が液晶表示装置等でなる表示部となっている。上開閉部材１３６の上端縁部は、円柱状に膨出して回転軸部となっており、その表面には螺旋状の一対のカム溝１３６ｂ，１３６ｂが刻設されている。一対のカム溝１３６ｂ，１３６ｂには、一対のカムピン１３２ａ，１３２ａがそれぞれ遊嵌される。また、上開閉部材１３６の回転軸部の左右端面からは、軸１３６ａ，１３６ａが突設されている。
【００３４】
下表示装置１０４は、中央表示装置１００の下側面壁にビス等により固着されるガイド部材１４１と、ガイド部１４１の切欠内に摺動自在に収納されて配置される直線移動部材１４２と、直線移動部材１４２をガイド部材１４１から抜け止めする抜止部材１４３と、軸受部材１１５，１２５に穿設された軸孔に両端の軸１４６ａ，１４６ａが嵌合されて回動自在に配置される下開閉部材１４６と、直線移動部材１４６を駆動するためのステッピングモータ（駆動手段に相当、以下、単にモータという）１４７とから構成されている。
【００３５】
直線移動部材１４２は、断面Ｌ字状の板体でなり、前端面には一対のカムピン１４２ａ，１４２ａが突設されている。また、直線移動部材１４２の下側端面には、モータ１４７の出力軸に取り付けられたピニオン１４７ａに噛合するラック１４２ｂ（図７では図示されず）が刻設されている。
【００３６】
下開閉部材１４６は、矩形状の板体でなり、表裏両面が液晶表示装置等でなる表示部となっている。下開閉部材１４６の下端縁部は、円柱状に膨出して回転軸部となっており、その表面には螺旋状の一対のカム溝１４６ｂ，１４６ｂが刻設されている。一対のカム溝１４６ｂ，１４６ｂには、一対のカムピン１４２ａ，１４２ａがそれぞれ遊嵌される。また、下開閉部材１４６の回転軸部の左右端面からは、軸１４６ａ，１４６ａが突設されている。
【００３７】
なお、中央表示装置１００の表面，ならびに左開閉部材１１６，右開閉部材１２６，上開閉部材１３６および下開閉部材１４６の表裏両面に液晶表示装置等でなる表示部が形成されていると説明したが、図７では、これら表示部への通電経路等の図示は省略されている。
【００３８】
また、中央表示装置１００の表面，ならびに左開閉部材１１６，右開閉部材１２６，上開閉部材１３６および下開閉部材１４６の表裏両面に形成される表示部は、通常の液晶表示装置に限られず、透過型の液晶表示装置，エレクトロルミネッセンス表示装置，発光ダイオード等の種々の表示部を使用することが可能であり、また、これらの表示部を組み合わせることにより多彩な図柄表示装置２０を実現することができる。
【００３９】
図８は、図７に示した図柄表示装置２０を組み立てた状態を示す斜視図である。
【００４０】
図９は、図８の図柄表示装置２０が表示装置枠体１９内の背面壁に取り付けられる態様を説明する斜視図である。図９中に破線で示す部分は、表示装置枠体１９内の背面壁に埋もれて表側からは見えない部分を示す。
【００４１】
図１０ないし図１３は、図柄表示装置２０における左開閉部材１１６，右開閉部材１２６，上開閉部材１３６，および下開閉部材１４６の開閉動作の状態遷移を説明する斜視図である。
【００４２】
次に、このように構成された実施例２に係る部材駆動装置を使用する図柄表示装置２０の動作について、図１０ないし図１３を参照しながら説明する。
【００４３】
図１０は、左開閉部材１１６，右開閉部材１２６，上開閉部材１３６，および下開閉部材１４６が閉じられた状態を示しており、上開閉部材１３６および下開閉部材１４６は、表裏両面が表示部になっており、図柄データを与えることによって図柄を表示する。ここで遊技機１１の制御手段は、遊技の進行に応じてモータ１１７，１２７，１３７，および１４７の回転を制御することになる。
【００４４】
図１０の左開閉部材１１６，右開閉部材１２６，上開閉部材１３６，および下開閉部材１４６の全てが閉じた状態から、遊技機１１の制御手段がモータ１３７を回転させると、ピニオン１３７ａおよびラック１３２ｂを介して直線移動部材１３２が左右方向に直線移動する。直線移動部材１３２が左右方向に直線移動すると、直線移動部材１３２に植設されたカムピン１３２ａ，１３２ａが螺旋状のカム溝１３６ｂ，１３６ｂ内を軸１３６ａ，１３６ａの方向に直線移動し、上開閉部材１３６を軸１３６ａ，１３６ａを中心として回転させる。このため、図１１に示すように、上開閉部材１３６は、閉じた位置（垂下位置）から９０度開放した位置（水平位置）に開放する。なお、モータ１３７の回転制御により、上開閉部材１３６を開けかけて閉めたり、９０度開放した位置で停止したりすることもできる。
【００４５】
さらに、上開閉部材１３６が９０度開放した位置（水平位置）からモータ１３７をさらに回転させると、図１２に示すように、上開閉部材１３６は、１８０度開放した位置（起立位置）まで開放する。上開閉部材１３６は、裏面側も表示部となっているので、上開閉部材１３６の裏面側の表示部にも図柄が表示される。
【００４６】
また、下開閉部材１４６も、上開閉部材１３６と同様に、モータ１４７の回転制御により、図１２に示すように、閉じた位置（起立位置）から１８０度開放した位置（垂下位置）まで回動させることができる。下開閉部材１４６も、裏面側が表示部となっているので、下開閉部材１４６の裏面側の表示部にも図柄が表示される。なお、モータ１４７の回転制御により、上開閉部材１４６を開けかけて閉めたり、９０度開放した位置（水平位置）で停止したりすることもできることはいうまでもない。
【００４７】
次に、図１３に示すように、モータ１１７の回転制御により、左開閉部材１１６は、閉じた位置（右旋回位置）から１８０度開放した位置（左旋回位置）まで回動させることができる。左開閉部材１１６は、裏面側も表示部となっているので、左開閉部材１１６の裏面側の表示部にも図柄が表示される。なお、モータ１１７の回転制御により、左開閉部材１１６を開けかけて閉めたり、９０度開放した位置（前方突出位置）で停止したりすることもできることはいうまでもない。
【００４８】
また、図１３に示すように、モータ１２７の回転制御により、右開閉部材１２６は、閉じた位置（左旋回位置）から１８０度開放した位置（右旋回位置）まで回動させることができる。右開閉部材１２６は、裏面側も表示部となっているので、右開閉部材１２６の裏面側の表示部にも図柄が表示される。なお、モータ１２７の回転制御により、右開閉部材１２６を開けかけて閉めたり、９０度開放した位置（前方突出位置）で停止したりすることもできることはいうまでもない。
【００４９】
実施例２によれば、図柄表示装置２０の上下方向および左右方向に開閉部材１１６，１２６，１３６および１４６の駆動機構などを配置する余分なスペースが不要なので、図柄表示装置２０を表示装置枠体１９内の背面壁から飛び出しているように配設してすっきりと見せることができる。
【実施例３】
【００５０】
図１４は、本発明の実施例３に係る部材駆動装置を使用するタンス形状の扉開閉装置２００を配設する遊技機１１を示す正面模式図である。この遊技機１１は、パチンコ遊技機であり、図５に示した実施例２に係る部材駆動装置を使用する図柄表示装置２０を配設する遊技機１１とほぼ同様に構成されているが、図柄表示装置２１０が１枚の液晶表示装置等からなる点、および図柄表示装置２１０の外周および前面を覆うようにタンス形状の扉開閉装置２００が配設されている点だけが異なっている。
【００５１】
よって、実施例２に係る部材駆動装置を使用する図柄表示装置２０を配設する遊技機１１の部分と対応する部分には、同一符号を付して、それらの詳しい説明を割愛する。
【００５２】
タンス形状の扉開閉装置２００は、図１５（ａ）および（ｂ）に示すように、観音開きの左右の扉状の開閉部材２０１，２０２を有し、上縁中央部が上方に突出するほぼ四角形状の表示装置枠体１９内の背面壁から一段と奥まった位置に、立体的に飛び出すように配設されている。
【００５３】
左扉状の開閉部材２０１の左端部および右扉状の開閉部材２０２の右端部は、円柱状に膨出して回転軸部となっており、上下両端面から軸が突設されている。軸は、タンス形状の扉開閉装置２００の天板および底板に穿設された軸孔に回転自在に嵌合されて、軸を中心として左扉状の開閉部材２０１および右扉状の開閉部材２０２は、左右反対方向に観音開きができるようになっている。また、左扉状の開閉部材２０１の回転軸部および右扉状の開閉部材２０２の回転軸部の表面には、螺旋状の一対のカム溝２０１ａ，２０１ａおよび２０２ａ，２０２ａが刻設されている。
【００５４】
右扉状の開閉部材２０２の一対のカム溝２０２ａ，２０２ａには、図１６に示すような断面Ｌ字状の直線移動部材２０３の前端面に突設された一対のカムピン２０３ａ，２０３ａが遊嵌されている。直線移動部材２０３は、タンス形状の扉開閉装置２００の右側板の厚み内に形成された縦方向の摺り割２００ｂ内に上下方向に摺動自在に遊嵌されている。直線移動部材２０３の後方右端面には、ラック２０３ｂが刻設されており、ラック２０３ｂには、図１７（ａ），（ｂ）に示すように、モータ２０４の出力軸に取り付けられたピニオン２０４ａが噛合されている。このため、モータ２０４を回転制御することにより、ピニオン２０４ａおよびラック２０３ｂを介して直線移動部材２０３が摺り割２００ｂ内を上下方向に直線移動し、一対のカムピン２０３ａ，２０３ａおよび一対のカム溝２０２ａ，２０２ａを介して右扉状の開閉部材２０２が開閉する。タンス形状の扉開閉装置２００の右側板の摺り割２００ｂ内に直線移動部材２０３が配設されていることにより、タンス形状の扉開閉装置２００の内側からも外側からも、直線移動部材２０３およびモータ２０４が見えないようになるという利点がある。
【００５５】
なお、図１６および図１７（ａ），（ｂ）には表れなかったが、左扉状の開閉部材２０１の一対のカム溝２０１ａ，２０１ａにも、断面Ｌ字状の直線移動部材の前端面に突設された一対のカムピンが遊嵌されている。直線移動部材は、タンス形状の扉開閉装置の左側板の厚み内に形成された縦方向の摺り割内に上下方向に摺動自在に遊嵌されている。直線移動部材の後方左端面には、ラックが刻設されており、ラックにはモータの出力軸に取り付けられたピニオンが噛合されている。このため、モータを回転制御することにより、ピニオンおよびラックを介して直線移動部材が摺り割内を上下方向に直線移動し、一対のカムピンおよび一対のカム溝２０１ａ，２０１ａを介して左扉状の開閉部材２０１が開閉する。タンス形状の扉開閉装置２００の左側板の摺り割内に直線移動部材が配設されていることにより、タンス形状の扉開閉装置２００の内側からも外側からも、直線移動部材およびモータが見えないようになるという利点があることは同様である。
【００５６】
このように構成された実施例３によれば、タンス形状の扉開閉装置２００の上下方向および左右方向にモータや伝達機構などを配置する余分なスペースが不要となるので、タンス形状の扉開閉装置２００を表示装置枠体１９内の背面壁から飛び出しているように配設してすっきりと見せることができる。
【実施例４】
【００５７】
図１８（ａ）および（ｂ）は、本発明の実施例４に係る部材駆動装置を使用するタンス形状の扉開閉装置３００を示す斜視図である。本実施例４に係る部材駆動装置を使用するタンス形状の扉開閉装置３００は、中折れ扉状の左右一対の扉開閉機構を有し、右の扉開閉機構は、２枚の開閉部材３０２ａ，３０２ｂが一対の蝶番３０２ｄ，３０２ｄで左端面および右端面を互いに連結されて構成されている。開閉部材３０２ａの右端部は、円柱状に膨出して回転軸部となっており、その上下両端面から軸が突設されている。軸は、タンス形状の扉開閉装置３００の天板および底板に穿設された軸孔３００ａに回転自在に嵌合されて、軸を中心として開閉部材３０２ａが開閉（回動）できるようになっている。開閉部材３０２ａの回転軸部の表面には、螺旋状の一対のカム溝３０２ｃ，３０２ｃが刻設されている。一対のカム溝３０２ｃ，３０２ｃには、断面Ｌ字状の直線移動部材３０３の前端面に突設された一対のカムピン（図示せず）が遊嵌されている。直線移動部材３０３は、タンス形状の扉開閉装置３００の右側板の厚み内に形成された縦方向の摺り割（図示せず）内に上下方向に摺動自在に遊嵌されている。直線移動部材３０３の後方右端面には、ラック３０３ｂが刻設されており、ラック３０３ｂには、モータ３０４の出力軸に取り付けられたピニオン３０４ａが噛合されている。このため、モータ３０４を回転制御することにより、ピニオン３０４ａおよびラック３０３ｂを介して直線移動部材３０３が摺り割内を上下方向に直線移動し、一対のカムピンおよび一対のカム溝３０２ｃ，３０２ｃを介して開閉部材３０２ａが開閉する。開閉部材３０２ａに蝶番３０２ｄ，３０２ｄによって連結された開閉部材３０２ｂは、上下端面左端部から上下に突設されたガイドピン（図示）をタンス形状の扉開閉装置３００の天板および底板に穿設されたガイド溝３００ｂに遊嵌されている。このため、開閉部材３０２ａが前方に突出するように開放すると、開閉部材３０２ｂは、ガイド溝３００ｂおよびガイドピン（図示）によって移動を規制されて左端部を右方向に移動させながら蝶番３０２ｄ，３０２ｄが取り付けられた右端部を前方に突出させる。これにより、２枚の開閉部材３０２ａ，３０２ｂが一対の蝶番３０２ｄ，３０２ｄの位置で中折れ状態となって開放し、遊技者は図柄表示装置３１０を視認することが可能になる。また、開閉部材３０２ａが左方に旋回するように閉じると、開閉部材３０２ｂは、ガイド溝３００ｂおよびガイドピン（図示）によって移動を規制されて左端部を左方向に移動させながら蝶番３０２ｄ，３０２ｄが取り付けられた右端部を後退させる。これにより、２枚の開閉部材３０２ａ，３０２ｂが一対の蝶番３０２ｄ，３０２ｄの位置で面一となって閉じられ、遊技者は、右の扉開閉機構側からは図柄表示装置３１０を視認することができなくなる。
【００５８】
また、左の扉開閉機構は、２枚の開閉部材３０１ａ，３０１ｂが一対の蝶番３０１ｄ，３０１ｄで右端面および左端面を互いに連結されて構成されている。開閉部材３０１ａの左端部は、円柱状に膨出して回転軸部となっており、その上下両端面から軸が突設されている。軸は、タンス形状の扉開閉装置３００の天板および底板に穿設された軸孔３００ａに回転自在に嵌合されて、軸を中心として開閉部材３０１ａが開閉（回動）できるようになっている。なお、図１８には表れなかったが、開閉部材３０１ａの回転軸部の表面には、螺旋状の一対のカム溝が刻設されている。一対のカム溝には、右の扉開閉機構と同様に、断面Ｌ字状の直線移動部材の前端面に突設された一対のカムピンが遊嵌されている。直線移動部材は、タンス形状の扉開閉装置３００の左側板の厚み内に形成された縦方向の摺り割内に上下方向に摺動自在に遊嵌されている。直線移動部材の後方右端面には、ラックが刻設されており、ラックには、モータの出力軸に取り付けられたピニオンが噛合されている。このため、モータを回転制御することにより、ピニオンおよびラックを介して直線移動部材が摺り割内を上下方向に直線移動し、一対のカムピンおよび一対のカム溝を介して開閉部材３０１ａが開閉する。開閉部材３０１ａに蝶番３０１ｄ，３０１ｄによって連結された開閉部材３０１ｂは、上下端面右端部から上下に突設されたガイドピン（図示）をタンス形状の扉開閉装置３００の天板および底板に穿設されたガイド溝３００ｂに遊嵌されている。このため、開閉部材３０１ａが前方に突出するように開放すると、開閉部材３０１ｂは、ガイド溝３００ｂおよびガイドピン（図示）によって移動を規制されて右端部を左方向に移動させながら蝶番３０１ｄ，３０１ｄが取り付けられた左端部を前方に突出させる。これにより、２枚の開閉部材３０１ａ，３０１ｂが一対の蝶番３０１ｄ，３０１ｄの位置で中折れ状態となって開放し、遊技者は図柄表示装置３１０を視認することが可能になる。また、開閉部材３０１ａが右方に旋回するように閉じると、開閉部材３０１ｂは、ガイド溝３００ｂおよびガイドピン（図示）によって移動を規制されて右端部を右方向に移動させながら蝶番３０１ｄ，３０１ｄが取り付けられた左端部を後退させる。これにより、２枚の開閉部材３０１ａ，３０１ｂが一対の蝶番３０１ｄ，３０１ｄの位置で面一となって閉じられ、遊技者は図柄表示装置３１０を左の扉開閉機構側からは視認することができなくなる。
【００５９】
このように構成された実施例４に係る部材駆動装置を使用するタンス形状の扉開閉装置３００においても、実施例３に係る部材駆動装置を使用するタンス形状の扉開閉装置２００と同様の作用および効果が得られることはいうまでもない。
【００６０】
ところで、上記実施例３および４に係るタンス形状の扉開閉装置２００および３００の変形例として、図１９（ａ）に示すように、ふすま演出のときには、扉状の開閉部材を横開きとするようにしてもよい。また、図１９（ｂ）に示すように、扉演出のときには、扉状の開閉部材を観音開きとするようにしてもよい。さらに、図１９（ｃ）に示すように、ふすま＋扉演出の複合開きのときには、（ｃ−１）扉状の開閉部材を観音開き後、横開きしたり、（ｃ−２）扉状の開閉部材を横開き後、観音開きしたり、（ｃ−３）扉状の開閉部材を観音開きしながら横開き、あるいは横開きしながら観音開きしたりするようにしてもよい。
【００６１】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００６２】
【図１】本発明の実施例１に係る遊技機用の部材駆動装置を示す斜視図。
【図２】実施例１に係る遊技機用の部材駆動装置の動作を説明する要部斜視図。
【図３】実施例１に係る遊技機用の部材駆動装置の動作を説明する要部斜視図。
【図４】（ａ）および（ｂ）は、実施例１に係る遊技機用の部材駆動装置におけるモータの配置位置を、従来のモータの配置位置と対比して説明する要部斜視図。
【図５】本発明の実施例２に係る部材駆動装置を使用する図柄表示装置を配設する遊技機を示す正面模式図。
【図６】図５中の図柄表示装置の斜視図。
【図７】図５中の図柄表示装置の部品展開斜視図。
【図８】図柄表示装置の斜視図。
【図９】表示装置枠体の背面壁上に見える図柄表示装置を示す斜視図。
【図１０】図９の図柄表示装置の表示を例示する斜視図。
【図１１】図９の図柄表示装置の上開閉部材を９０度開いた状態の斜視図。
【図１２】図９の図柄表示装置の上開閉部材および下開閉部材を１８０度開いた状態の斜視図。
【図１３】図９の図柄表示装置の上開閉部材，下開閉部材，左開閉部材および右開閉部材を１８０度開いた状態の斜視図。
【図１４】本発明の実施例３に係る部材駆動装置を使用するタンス形状の扉開閉装置を配設する遊技機を示す正面模式図。
【図１５】（ａ）および（ｂ）は図１４中のタンス形状の扉開閉装置の正面図および斜視図。
【図１６】タンス形状の扉開閉装置における直線移動部材の配設態様を説明する要部斜視図。
【図１７】（ａ）および（ｂ）はタンス形状の扉開閉装置の左右扉状の開閉部材を閉じた状態および開いた状態の斜視図。
【図１８】（ａ）および（ｂ）本発明の実施例４に係るタンス形状の扉開閉装置の左右扉状の開閉部材を閉じた状態および開いた状態の斜視図。
【図１９】（ａ）〜（ｃ）はふすま型扉と観音開き型扉との複合型の扉の開放状態を例示する図。
【符号の説明】
【００６３】
１  開閉部材
１ａ，１ａ  カム溝
２，２  軸受部材
３  直線移動部材
３ａ，３ａ  カムピン
３ｂ  ラック
４  モータ
４ａ  ピニオン
１１  遊技機
１９  表示装置枠体
２０  図柄表示装置
２００  タンス形状の扉開閉装置
２００ｂ  摺り割
２０１，２０２  扉状の開閉部材
２０１ａ，２０１ａ，２０２ａ，２０２ａ  カム溝
２０３  直線移動部材
２０３ａ，２０３ａ  カムピン
２０３ｂ  ラック
２０４  モータ
２０４ａ  ピニオン
２１０  図柄表示装置
３００  タンス形状の扉開閉装置
３０１ａ，３０１ｂ  開閉部材
３０２ａ，３０２ｂ  開閉部材
３０２ｃ，３０２ｃ  カム溝
３０３  直線移動部材
３０３ｂ  ラック
３０４  モータ
３０４ａ  ピニオン
３１０  図柄表示装置
【図１】
2007244573.tif 000003
【図２】
2007244573.tif 000004
【図３】
2007244573.tif 000005
【図４】
2007244573.tif 000006
【図５】
2007244573.tif 000007
【図６】
2007244573.tif 000008
【図７】
2007244573.tif 000009
【図８】
2007244573.tif 000010
【図９】
2007244573.tif 000011
【図１０】
2007244573.tif 000012
【図１１】
2007244573.tif 000013
【図１２】
2007244573.tif 000014
【図１３】
2007244573.tif 000015
【図１４】
2007244573.tif 000016
【図１５】
2007244573.tif 000017
【図１６】
2007244573.tif 000018
【図１７】
2007244573.tif 000019
【図１８】
2007244573.tif 000020
【図１９】
2007244573.tif 000021